(57)【要約】【課題】前面パネルの表面へ付着した埃などの除去をし易くし、且つ室内機の前面をフラットな形状にして意匠性を向上する為に、前面吸込口の形状を開口面積の小さく設け横長のスリット状に形成した場合でも、室内空気の吸込性を損なわずに効率よく熱交換を行うことが出来る空気調和機を提供する。【解決手段】前面吸込口から吸い込んだ室内空気が流れる通風路内に、気流を調節する気流ガイド部を備えることで、熱交換器下部への吸込性を向上させて効率良く熱交換を行うことが出来る。【選択図】　図２
2004037025.tif 000002
【特許請求の範囲】
【請求項１】
室内機の上面及び前面を構成する化粧カバーを備え、この化粧カバーの上面に上面吸込口及び前面に前面パネルと、その前面パネルの下部に室内空気の吸込口を形成する横長の切欠部を配設され、この切欠部と前記室内機の下部に備えた吹出口とを結ぶ通風路内に、フィルタと、上下に延びる熱交換器部を有する熱交換器と、送風ファンとを配置した空気調和機に於いて、前記切欠部の下端部から上方奥行方向に延びる第一の気流ガイド部と、この第一の気流ガイド部の上部から奥方向へ延び、且つ上方に凸状をした円弧状の第二の気流ガイド部を備えたことを特徴とする空気調和機。
【請求項２】
前記第二の気流ガイド部は、前記フィルタのフィルタ枠の前面下部に一体に有すること特徴とする請求項１記載の空気調和機。
【請求項３】
前記第二の気流ガイド部は、前記第一の気流ガイド部の上部の延長上に一体に形成されたことを特徴とする請求項１記載の空気調和機。
【発明の詳細な説明】
【０００１】
【発明の属する技術分野】
本発明は、空気調和機に関するものであり、特に、横長のスリット状に形成された前面吸込口を有する空気調和機に関する。
【０００２】
【従来の技術】
従来の技術は、例えば空気調和機の室内機の構成を示す図６の縦断面図、図７の室内機の前面吸込口の構造及び空気の流れを示す縦断面拡大図に示すものがある。
【０００３】
この従来の空気調和機は、前面吸込口１０３の形状を開口面積の小さく設け横長のスリット状に形成し、前面パネル１０２の凹凸部を減らすことで、前面パネル１０２の表面へ付着した埃などの除去がし易くし、且つ室内機１０１の前面がフラットな形状になり意匠性を向上したものである。
【０００４】
又、上記空気調和機の熱交換機１０６は、上下に延びる前面下部熱交換器部１０６ａと、その前面下部熱交換器部１０６ａより斜め上方に傾斜した前面上部熱交換器部１０６ｂと、その前面上部熱交換器部１０６ｂより後方斜め下方に傾斜した後部熱交換器部１０６ｃとで構成されている。この熱交換器によって送風ファン１０５は囲まれるように配置されている。又、前面吸込口１０３から吸い込んだ室内空気が沿って流れる側面部に、上方奥行方向に延びる凹円弧状の気流ガイド部１０４を形成することで、気流を上方へ案内して前面下部熱交換器部１０６ａへ導入している。
【０００５】
このような空気調和機としては、例えば特開２００１−４１５６１号公報、特開２００１−５９６２８号公報等が挙げられる。
【０００６】
【発明が解決しようとする課題】
しかし、上記従来の空気調和機は、送風ファン１０５を運転して前面吸込口１０３から吸い込んだ室内空気が、気流ガイド部１０４の上端部１０４ａ付近を通過する時、上端部から送風ファン１０５の方向に気流ガイド部１０４が形成されている、若しくは急激に折れ曲がっている為、空気の渦が発生する、気流の乱れが生じる等により、通風抵抗が増加する恐れがある。
【０００７】
又、上方へ向って延びる気流ガイド部１０４に沿って吸い込まれた気流は、上記のように空気の渦の発生により渦の上方へ向って流れて、前面下部熱交換器部１０６ａの主に上半分に多く導入され、下半分へ導入さる気流が少なく、熱交換効率が充分高いとは言えない。
【０００８】
以上のことから本発明の目的は、清掃性及び意匠性を向上する為に室内機の前面をフラットな形状にした室内機に於いて、前面吸込口の形状を開口面積を小さく設け横長のスリット状に形成した場合でも、室内空気の熱交換器下部への吸込性を向上させて効率よく熱交換を行うことが出来る空気調和機を提供することにある。
【０００９】
【課題を解決するための手段】
上記課題を解決する為に本発明は、室内機の上面及び前面を構成する化粧カバーを備え、この化粧カバーの上面に上面吸込口及び前面に前面パネルと、その前面パネルの下部に室内空気の吸込口を形成する横長の切欠部を配設され、この切欠部と前記室内機の下部に備えた吹出口とを結ぶ通風路内に、フィルタと、上下に延びる熱交換器部を有する熱交換器と、送風ファンとを配置した空気調和機に於いて、前記切欠部の下端部から上方奥行方向に延びる第一の気流ガイド部と、この第一の気流ガイド部の上部から奥方向へ延び、且つ上方に凸状をした円弧状の第二の気流ガイド部を備えたものである。
【００１０】
又、前記第二の気流ガイド部は、前記フィルタのフィルタ枠の前面下部に一体に有するものである。
【００１１】
又、前記第二の気流ガイド部は、前記第一の気流ガイド部の上部の延長上に一体に形成されたものである。
【００１２】
【発明の実施の形態】
図１は本発明の第一の実施例及び第二の実施例による空気調和機の室内機を示す斜視図。
【００１３】
図２は本発明の第一の実施例による空気調和機の室内機の構成を示す縦断面図。
【００１４】
図３は本発明の第一の実施例による前面吸込口の構成及び空気の流れを示す縦断面要部拡大図。
【００１５】
図４は本発明の第二の実施例による空気調和機の室内機の構成を示す縦断面図。
【００１６】
図５は本発明の第二の実施例による前面吸込口の構成及び空気の流れを示す縦断面要部拡大図である。
【００１７】
図１、図２、図４に於いて、空気調和機の室内機１、その室内機１を覆う化粧カバー２、この化粧カバー２の前面に設けた前面パネル３は、その両側の下端部に設けた開閉機構４（図示せず）を軸にして開閉可能に取り付けられている。又、前面パネル３は下部に横長の切欠部３ａを有し、化粧カバー２の前面に切欠部３ａから露出した位置に横長の化粧板５を設け、その上部側面は上方奥行方向に延びる凹円弧状の第一の気流ガイド部５ａを形成し、その第一の気流ガイド部５ａと切欠部３ａとで前面パネル３の下部に前面吸込口６を形成する。７は室内機１の上面へ格子状に設けた上面吸込口、８は熱交換した空気を室内に吹き出す吹出口で、前面吸込口６若しくは上面吸込口７と吹出口８とを結ぶ通風路内に、弾性を有する合成樹脂製のフィルタ枠１０に装着されたフィルタ９と、横配置の貫流形の送風ファン１１と、上下に延びる前面下部熱交換器部１２ａと、その前面下部熱交換器部１２ａより斜め上方に傾斜した前面上部熱交換器部１２ｂと、その前面上部熱交換器部１２ｂより後方斜め下方に傾斜した後部熱交換器部１２ｃとで構成される熱交換器１２を配置している。
【００１８】
上記説明した構成により本発明の空気調和機は、送風ファン１１を運転することで前面吸込口６及び上面吸込口７から吸い込んだ室内空気を、フィルタ９を介して埃などを取り除き、熱交換器１２へ導入され熱交換された後、吹出口８から室内へ吹き出される。
【００１９】
次に本発明の第一の実施例を図１、図２、図３により詳細に説明する。
【００２０】
縦断面が略く字形状の化粧板５の上部側面に、上方奥行方向へ延びる凹円弧状の第一の気流ガイド部５ａを形成し、前面吸込口６から吸い込んだ室内空気が、第一の気流ガイド部５ａに沿って上方へ導かれるようになっている。又、フィルタ枠１０の下部前面側に第二の気流ガイド部１０ａを形成し、その第二の気流ガイド部１０ａは、第一の気流ガイド部５ａの上部から室内機１の奥行方向へ延びる凸円弧状で、この第二の気流ガイド部１０ａに沿って下方へ流れる気流を形成する。
【００２１】
よって、前面吸込口６から吸い込んだ室内空気は、気流が物の面に沿って流れる特性（コアンダー効果）により、第一の気流ガイド部５ａに沿って上方へ流れ、更に第二の気流ガイド部１０ａに沿って前面下部熱交換器部１２ａの下半分へ向って滑らかに流れる気流を形成することが出来る。尚、上面吸込口７から吸い込んだ空気の一部が前面下部熱交換器部１２ａの上半分へ向う気流を形成しているので前面下部熱交換器部１２ａの全体へ均一に空気が導入されるので、熱交換効率が向上する。
【００２２】
即ち、上記第一の実施例のように本発明は、前面吸込口６から吸い込んだ室内空気を、第一の気流ガイド部５ａ及び第二の気流ガイド部１０ａに沿わせることによって、本発明の目的の、前面吸込口６の形状を開口面積を小さく設け横長のスリット状に形成した場合でも、室内空気の熱交換器１２下部への吸込性を向上させて効率よく熱交換を行うことを達成出来る。
【００２３】
次に本発明の第二の実施例を図１、図４、図５により説明する。
【００２４】
縦断面が略く字形状の化粧板５の上部側面に、上方奥行方向へ延びる凹円弧状の第一の気流ガイド部５ａを形成し、前面吸込口６から吸い込んだ室内空気が、第一の気流ガイド部５ａに沿って上方へ導かれるようになっている。又、第一の気流ガイド部５ａ上部の延長上に室内機１の奥行方向へ延びる凸円弧状の第二の気流ガイド部５ｂを一体に形成し、この第二の気流ガイド部５ｂに沿って下方へ流れる気流を形成する。
【００２５】
即ち、前面吸込口６から吸い込んだ室内空気は、気流が物の面に沿って流れる特性（コアンダー効果）により、第一の気流ガイド部５ａに沿って上方へ流れ、更に第二の気流ガイド部５ｂに沿って前面下部熱交換器部１２ａの下半分へ向って滑らかに流れる気流を形成することが出来る。尚、上面吸込口７から吸い込んだ空気の一部が前面下部熱交換器部１２ａの上半分へ向う気流を形成しているので前面下部熱交換器部１２ａの全体へ均一に空気が導入されるので、熱交換効率が向上する。
【００２６】
尚、第二の実施例では、第一の気流ガイド部５ａと第二の気流ガイド部５ｂとを一体で形成したことで、第一の気流ガイド部５ａ上部と第二の気流ガイド部５ｂ下部との接合部の隙間や凹凸部が無くなり、より滑らかな気流を形成出来るので、熱交換効率を向上することが可能となる。
【００２７】
【発明の効果】
以上説明した通り本発明は、清掃性及び意匠性を向上する為に前面パネルの前面をフラットな形状にし、前面吸込口の形状を開口面積を小さく設け横長のスリット状に形成した場合でも、気流を調節する為の気流ガイド部を設けたことで、室内空気の熱交換器下部への吸込性を向上させて効率良く熱交換を行うことが出来る。
【図面の簡単な説明】
【図１】本発明の第一の実施例及び第二の実施例による空気調和機の室内機を示す斜視図。
【図２】本発明の第一の実施例による空気調和機の室内機の構成を示す縦断面図。
【図３】本発明の第一の実施例による前面吸込口の構成及び空気の流れを示す縦断面要部拡大図。
【図４】本発明の第二の実施例による空気調和機の室内機の構成を示す縦断面図。
【図５】本発明の第二の実施例による前面吸込口の構成及び空気の流れを示す縦断面要部拡大図。
【図６】従来の空気調和機の室内機の構成を示す縦断面図。
【図７】従来の空気調和機の室内機の前面吸込口の構造及び空気の流れを示す縦断面要部拡大図。
【符号の説明】
１…室内機、２…化粧カバー、３…前面パネル、３ａ…切欠部、４…開閉機構、５…化粧板、５ａ…第一の気流ガイド部、５ｂ…第二の気流ガイド部、６…前面吸込口、７…上面吸込口、８…吹出口、９…フィルタ、１０…フィルタ枠、１０ａ…第二の気流ガイド部、１１…送風ファン、１２…熱交換器、１２ａ…前面下部熱交換器部、１２ｂ…前面上部熱交換器部、１２ｃ…後部熱交換器部、１０１…室内機、１０２…前面パネル、１０３…前面吸込口、１０４…気流ガイド部、１０４ａ…気流ガイド部の上端部、１０５…送風ファン、１０６…熱交換器、１０６ａ…前面下部熱交換器部、１０６ｂ…前面上部熱交換器部、１０６ｃ…後部熱交換器部。
【図１】
2004037025.tif 000003
【図２】
2004037025.tif 000004
【図３】
2004037025.tif 000005
【図４】
2004037025.tif 000006
【図５】
2004037025.tif 000007
【図６】
2004037025.tif 000008
【図７】
2004037025.tif 000009